(57)【要約】【課題】異なる通信方式へのハンドオーバを精度よく行うこと。【解決手段】移動端末１３０は、第一通信方式による通信を行う第一基地局１１０から、第二通信方式による通信を行う第二基地局１２０へのハンドオーバを行う。第一受信部１３２ｂは、第二基地局１２０から送信される第二通信方式の無線フレームと同期した第一通信方式の同期用信号を第二基地局１２０から受信する。フレーム先頭検出部１３４ａは、第一受信部１３２ｂによって受信された同期用信号に基づいて、第二基地局１２０から送信される無線フレームの先頭位置を検出する。第二受信部１３３ｂは、フレーム先頭検出部１３４ａによって検出された先頭位置に基づいて無線フレームに含まれる測定用シンボルを受信する。ハンドオーバ処理部１３４ｂは、第二受信部１３３ｂによって受信された測定用シンボルに基づいてハンドオーバを行う。【選択図】図１
2010288081.tif 000002
【特許請求の範囲】
【請求項１】
第一通信方式による通信を行う第一基地局から、第二通信方式による通信を行う第二基地局へのハンドオーバを行う移動端末であって、
前記第二基地局から送信される第二通信方式の無線フレームと同期した第一通信方式の同期用信号を前記第二基地局から受信する第一受信手段と、
前記第一受信手段によって受信された同期用信号に基づいて、前記第二基地局から送信される前記無線フレームの先頭位置を検出する検出手段と、
前記検出手段によって検出された先頭位置に基づいて前記無線フレームに含まれる測定用シンボルを受信する第二受信手段と、
前記第二受信手段によって受信された測定用シンボルに基づいて前記ハンドオーバを行うハンドオーバ処理手段と、
を備えることを特徴とする移動端末。
【請求項２】
前記第一基地局との間で第一通信方式による通信を行うとともに、前記検出手段によって検出された先頭位置に基づいて前記第一基地局との間の通信のギャップ区間を制御する制御手段を備えることを特徴とする請求項１に記載の移動端末。
【請求項３】
前記第一受信手段は、前記第一基地局から送信される第一通信方式の同期用信号の周波数とは異なる周波数の前記第二基地局からの第一通信方式の同期用信号を受信することを特徴とする請求項１または２に記載の移動端末。
【請求項４】
前記第一基地局との間で第一通信方式による通信を行う第一通信手段と、前記第二基地局との間で第二通信方式による通信を行う第二通信手段と、を備えることを特徴とする請求項１〜３のいずれか一つに記載の移動端末。
【請求項５】
前記第一通信手段および前記第二通信手段によって共用されるアンテナを備えることを特徴とする請求項４に記載の移動端末。
【請求項６】
移動端末が第一基地局から第二基地局へのハンドオーバを行う通信システムにおいて、
第一通信方式による通信を行う第一基地局と、
第二通信方式による通信を行うとともに、第二通信方式の無線フレームと同期した第一通信方式の同期用信号を送信する第二基地局と、
前記第二基地局によって送信された同期用信号に基づいて、前記第二基地局から送信される前記無線フレームの先頭位置を検出し、検出された先頭位置に基づいて前記無線フレームに含まれる測定用シンボルを受信し、受信された測定用シンボルに基づいて前記ハンドオーバを行う移動端末と、
を備えることを特徴とする通信システム。
【請求項７】
前記第二基地局は、前記第一基地局から送信される第一通信方式の同期用信号の周波数とは異なる周波数の同期用信号を送信することを特徴とする請求項６に記載の通信システム。
【請求項８】
第一通信方式による通信を行う第一基地局から、第二通信方式による通信を行う第二基地局へのハンドオーバを行う移動端末の通信方法であって、
前記第二基地局から送信される第二通信方式の無線フレームと同期した第一通信方式の同期用信号を前記第二基地局から受信する第一受信工程と、
前記第一受信工程によって受信された同期用信号に基づいて、前記第二基地局から送信される前記無線フレームの先頭位置を検出する検出工程と、
前記検出工程によって検出された先頭位置に基づいて前記無線フレームに含まれる測定用シンボルを受信する第二受信工程と、
前記第二受信工程によって受信された測定用シンボルに基づいて前記ハンドオーバを行うハンドオーバ処理工程と、
を含むことを特徴とする通信方法。
【発明の詳細な説明】
【技術分野】
【０００１】
この発明は、ハンドオーバを行う移動端末、通信システムおよび通信方法に関する。
【背景技術】
【０００２】
携帯電話などの移動端末の通信方式（ＲＡＴ：Ｒａｄｉｏ  Ａｃｃｅｓｓ  Ｔｅｃｈｎｏｌｏｇｙ）については、電波の効率的利用や通信速度の向上などを目的として様々な方式が実用化されている。たとえば、携帯電話の通信方式として、ＧＳＭ（Ｇｌｏｂａｌ  Ｓｙｓｔｅｍ  ｆｏｒ  Ｍｏｂｉｌｅ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、Ｓｕｐｅｒ３Ｇ（ＬＴＥ：Ｌｏｎｇ  Ｔｅｒｍ  Ｅｖｏｌｕｔｉｏｎ）方式などが実用化されている。
【０００３】
従来の通信方式が利用されているエリアにおいて他の新しい通信方式を導入しようとする場合は、従来からの通信方式と新しい通信方式の双方を使用できることが望ましい。たとえば、様々な通信環境においてより高品質で高速な無線通信を可能にするために、リアルタイムに適切な通信方式に切り替える異ＲＡＴハンドオーバがある（たとえば、下記特許文献１参照。）。異ＲＡＴハンドオーバにおいては、それぞれの通信方式のレベル測定を行い、レベル測定の結果に応じて通信方式が異なる基地局へのハンドオーバを行う。
【０００４】
また、高機能であることを維持しながら小型化を求められている携帯電話などの移動端末においては、複数の通信方式によってアンテナを共用する構成が用いられる。このような構成においては、たとえば、使用中の通信方式（以下、「第一通信方式」と称する。）の無線フレームの中に送信も受信も行わないギャップ区間（ＧＡＰ区間）を設けて、ギャップ区間において使用中でない通信方式（以下、「第二通信方式」と称する。）の通信品質の測定を行う方法がある（たとえば、下記特許文献２参照。）。
【先行技術文献】
【特許文献】
【０００５】
【特許文献１】特開２００３−３３３６６０号公報
【特許文献２】特開２０００−０７８６４０号公報
【発明の概要】
【発明が解決しようとする課題】
【０００６】
しかしながら、上述した従来技術では、第一通信方式の無線フレームの中にギャップ区間が十分に設けられていない場合に、第二通信方式における通信品質を精度よく測定することができない。このため、異なる通信方式へのハンドオーバを精度よく行うことができないという問題がある。たとえば、第一通信方式のギャップ区間は、第一通信方式における異なる周波数の通信品質を測定するために設けられることが多いため、第二通信方式における通信品質を精度よく測定できる程度に十分な長さが設けられているとは限らない。
【０００７】
第一通信方式のギャップ区間が十分に設けられていない場合は、第二通信方式の無線フレームの先頭位置を第一通信方式のギャップ区間において特定することが困難である。このため、第二通信方式の無線フレームに含まれている測定用シンボルを精度よく測定することができない。また、第二通信方式の無線フレームの区間が第一通信方式の無線フレームのギャップ区間よりも長い場合は、第二通信方式の無線フレームに含まれている測定用シンボルが第一通信方式の無線フレームのギャップ区間から外れることもある。このため、第二通信方式における通信品質を精度よく測定することができない。
【０００８】
開示の移動端末、通信システムおよび通信方法は、上述した問題点を解消するものであり、異なる通信方式へのハンドオーバを精度よく行うことを目的とする。
【課題を解決するための手段】
【０００９】
上述した課題を解決し、目的を達成するため、この移動端末は、第一通信方式による通信を行う第一基地局から、第二通信方式による通信を行う第二基地局へのハンドオーバを行う移動端末であって、前記第二基地局から送信される第二通信方式の無線フレームと同期した第一通信方式の同期用信号を前記第二基地局から受信する第一受信手段と、前記第一受信手段によって受信された同期用信号に基づいて、前記第二基地局から送信される前記無線フレームの先頭位置を検出する検出手段と、前記検出手段によって検出された先頭位置に基づいて前記無線フレームに含まれる測定用シンボルを受信する第二受信手段と、前記第二受信手段によって受信された測定用シンボルに基づいて前記ハンドオーバを行うハンドオーバ処理手段と、を備えることを要件とする。
【００１０】
上記構成によれば、第二通信方式の無線フレームと同期した第一通信方式の同期用信号を受信することで第二通信方式の無線フレームの先頭を検出することができる。
【発明の効果】
【００１１】
開示の移動端末、通信システムおよび通信方法によれば、異なる通信方式へのハンドオーバを精度よく行うことができるという効果を奏する。
【図面の簡単な説明】
【００１２】
【図１】実施の形態にかかる通信システムの構成を示すブロック図である。
【図２】図１に示した移動端末のハンドオーバ動作の一例を示すフローチャートである。
【図３】図１に示した移動端末の動作の具体例を示すタイミングチャートである。
【図４】無線フレームの先頭位置の検出の具体例を示す図である。
【図５】ギャップ区間の制御を示すタイミングチャートである。
【図６】図１に示した通信システムの変形例を示すブロック図である。
【発明を実施するための形態】
【００１３】
以下に添付図面を参照して、この移動端末、通信システムおよび通信方法の実施の形態を詳細に説明する。この移動端末、通信システムおよび通信方法は、第一基地局から第二基地局へのハンドオーバのために、第二通信方式の無線フレームと同期した第一通信方式の同期用信号に基づいて第二通信方式の無線フレームの先頭を検出する。これにより、第二基地局との間の通信品質を精度よく測定し、異なる通信方式へのハンドオーバを精度よく行うことができる。
【００１４】
（実施の形態）
（通信システムの構成）
図１は、実施の形態にかかる通信システムの構成を示すブロック図である。図１に示すように、実施の形態にかかる通信システム１００は、第一基地局１１０と、第二基地局１２０と、移動端末１３０と、を含んでいる。第一基地局１１０は、第一通信方式によって移動端末１３０との間で通信を行う基地局である。第二基地局１２０は、第二通信方式によって移動端末１３０との間で通信を行う基地局である。
【００１５】
ここでは、移動端末１３０が第一基地局１１０との間で通信を行っており、その後に移動端末１３０が第一基地局１１０から第二基地局１２０へのハンドオーバを行う場合について説明する。第一基地局１１０は、通信部１１１を備えている。通信部１１１は、移動端末１３０との間で、通話やデータ伝送などの通信を第一通信方式の無線フレームにより行う。また、通信部１１１は、第一通信方式の同期用信号を移動端末１３０へ送信する。
【００１６】
第二基地局１２０は、通信部１２１と、送信部１２２と、を備えている。通信部１２１は、移動端末１３０との間で、通話やデータ伝送などの通信を第二通信方式の無線フレームにより行う。また、通信部１２１は、第二通信方式の同期用信号を移動端末１３０へ送信する。送信部１２２は、第一通信方式の同期用信号を移動端末１３０へ送信する。また、送信部１２２は、送信する第一通信方式の同期用信号を、通信部１２１が送信する無線フレームと同期させる。
【００１７】
移動端末１３０は、アンテナ１３１と、第一通信ＬＳＩ１３２（Ｌａｒｇｅ  Ｓｃａｌｅ  Ｉｎｔｅｇｒａｔｉｏｎ）と、第二通信ＬＳＩ１３３と、制御ＬＳＩ１３４と、を備えている。第一通信ＬＳＩ１３２は、第一通信方式による通信処理を行うＬＳＩである。第二通信ＬＳＩ１３３は、第二通信方式による通信処理を行うＬＳＩである。第一通信ＬＳＩ１３２および第二通信ＬＳＩ１３３は、アンテナ１３１を共用して無線通信を行う。
【００１８】
たとえば、第一通信ＬＳＩ１３２および第二通信ＬＳＩ１３３と、アンテナ１３１と、の間には経路切替スイッチが設けられている。そして、たとえば制御ＬＳＩ１３４の制御によって経路切替スイッチを切り替えることで、第一通信ＬＳＩ１３２および第二通信ＬＳＩ１３３の一方がアンテナ１３１と接続して無線通信を行う。
【００１９】
第一通信ＬＳＩ１３２は、第一通信部１３２ａと、第一受信部１３２ｂと、を備えている。第一通信部１３２ａは、第一基地局１１０との間で第一通信方式による通信を行う。第一受信部１３２ｂは、第一基地局１１０から送信される第一通信方式の同期用信号と、第二基地局１２０から送信される第一通信方式の同期用信号と、を受信する。第一受信部１３２ｂは、受信した同期用信号を制御ＬＳＩ１３４へ出力する。
【００２０】
第二通信ＬＳＩ１３３は、第二通信部１３３ａと、第二受信部１３３ｂと、を備えている。第二通信部１３３ａは、第二基地局１２０との間で第二通信方式による通信を行う。第二受信部１３３ｂは、第二基地局１２０から送信される第二通信方式の無線フレームを受信する。また、第二受信部１３３ｂは、制御ＬＳＩ１３４から通知された無線フレームの先頭位置に基づいて、無線フレームに含まれる測定用シンボルを受信する。第二受信部１３３ｂは、受信した測定用シンボルを制御ＬＳＩ１３４へ出力する。
【００２１】
制御ＬＳＩ１３４は、フレーム先頭検出部１３４ａと、ハンドオーバ処理部１３４ｂと、を備えている。フレーム先頭検出部１３４ａは、第一受信部１３２ｂから出力された第二基地局１２０からの第一通信方式の同期用信号に基づいて、第二基地局１２０からの第二通信方式の無線フレームの先頭位置を検出する。そして、フレーム先頭検出部１３４ａは、検出した先頭位置を第二通信ＬＳＩ１３３へ通知する。フレーム先頭検出部１３４ａによる先頭位置の検出については後述する（たとえば図４，図５参照）。
【００２２】
ハンドオーバ処理部１３４ｂは、第一通信ＬＳＩ１３２から出力された第一基地局１１０からの同期用信号（第一通信方式）に基づいて、第一基地局１１０と移動端末１３０との間の通信品質を測定する。また、ハンドオーバ処理部１３４ｂは、第一通信ＬＳＩ１３２から出力された第二基地局１２０からの測定用シンボル（第二通信方式）に基づいて、第二基地局１２０と移動端末１３０との間の通信品質を測定する。
【００２３】
そして、ハンドオーバ処理部１３４ｂは、測定した各通信品質に基づいて、第一基地局１１０から第二基地局１２０へのハンドオーバ処理を行う。具体的には、ハンドオーバ処理部１３４ｂは、第一通信ＬＳＩ１３２による第一基地局１１０との間の通信を停止させるとともに、第二通信ＬＳＩ１３３による第二基地局１２０との間の通信を開始させる。ハンドオーバ処理部１３４ｂによるハンドオーバ処理については図２において説明する。
【００２４】
なお、図１に示した移動端末１３０の構成においては、第一通信ＬＳＩ１３２、第二通信ＬＳＩ１３３および制御ＬＳＩ１３４をそれぞれ別のＬＳＩとする構成について説明した。これに対して、第一通信ＬＳＩ１３２、第二通信ＬＳＩ１３３および制御ＬＳＩ１３４の各機能部を１つのＬＳＩによって実現してもよい。または、制御ＬＳＩ１３４の各機能部を第一通信ＬＳＩ１３２または第二通信ＬＳＩ１３３に設ける構成にしてもよい。
【００２５】
また、ここでは、移動端末１３０が第一通信方式と第二通信方式とを切り替えて使用できる構成について説明したが、移動端末１３０は３つ以上の通信方式を切り替える構成としてもよい。この場合は、移動端末１３０は、使用中の通信方式の同期用信号を、ハンドオーバ可能な基地局から受信する。そして、移動端末１３０は、受信した同期用信号に基づいて無線フレームの先頭を検出し、通信品質を測定してハンドオーバを行う。
【００２６】
また、第二基地局１２０の送信部１２２は、第一基地局１１０から送信される第一通信方式の同期用信号の周波数とは異なる周波数の第一通信方式の同期用信号を送信するようにしてもよい。これに対して、移動端末１３０の第一受信部１３２ｂは、第一基地局１１０から送信される第一通信方式の同期用信号の周波数とは異なる周波数の第二基地局１２０からの第一通信方式の同期用信号を受信する。
【００２７】
これにより、移動端末１３０の第一受信部１３２ｂは、第一通信方式における異なる周波数の同期用信号を受信する場合と同様の動作によって第二基地局１２０からの同期用信号を受信することができる。このため、第二基地局１２０からの同期用信号を既存の機能を利用して受信し、受信した同期用信号に基づいて第二基地局１２０からの無線フレームの先頭を検出することができる。
【００２８】
（移動端末のハンドオーバ動作）
図２は、図１に示した移動端末のハンドオーバ動作の一例を示すフローチャートである。図２に示すように、まず、第一通信部１３２ａが、第一基地局１１０との間で第一通信方式による通信を行っているとする（ステップＳ２０１）。つぎに、第一受信部１３２ｂが、第一基地局１１０からの第一通信方式の同期用信号を受信する（ステップＳ２０２）。つぎに、ハンドオーバ処理部１３４ｂが、ステップＳ２０２によって受信された同期用信号に基づいて第一基地局１１０との間の通信品質を測定する（ステップＳ２０３）。
【００２９】
つぎに、ハンドオーバ処理部１３４ｂが、ステップＳ２０３によって測定された通信品質が閾値以下か否かを判断する（ステップＳ２０４）。通信品質が閾値以下でない場合（ステップＳ２０４：Ｎｏ）は、ステップＳ２０２に戻って処理を続行する。通信品質が閾値以下である場合（ステップＳ２０４：Ｙｅｓ）は、ハンドオーバ処理部１３４ｂが、第二基地局１２０からの同期用信号を受信可能か否か判断する（ステップＳ２０５）。
【００３０】
ステップＳ２０５において、第二基地局１２０からの同期用信号を受信可能でない場合（ステップＳ２０５：Ｎｏ）は、ステップＳ２０２へ戻って処理を続行する。同期用信号を受信可能である場合（ステップＳ２０５：Ｙｅｓ）は、第二受信部１３３ｂが、第二基地局１２０からの第一通信方式の同期用信号を受信する（ステップＳ２０６）。
【００３１】
つぎに、フレーム先頭検出部１３４ａが、ステップＳ２０６によって受信された同期用信号に基づいて、第二基地局１２０からの第二通信方式の無線フレームの先頭位置を検出する（ステップＳ２０７）。つぎに、第二受信部１３３ｂが、ステップＳ２０７によって検出された先頭位置に基づいて、第二基地局１２０からの無線フレームに含まれている測定用シンボルを受信する（ステップＳ２０８）。
【００３２】
つぎに、ハンドオーバ処理部１３４ｂが、ステップＳ２０８によって受信された測定用シンボルに基づいて第二基地局１２０との間の通信品質を測定する（ステップＳ２０９）。つぎに、ハンドオーバ処理部１３４ｂが、ステップＳ２０９によって測定された通信品質が閾値以上か否かを判断する（ステップＳ２１０）。測定された通信品質が閾値以上でない場合（ステップＳ２１０：Ｎｏ）は、ステップＳ２０８に戻って処理を続行する。
【００３３】
ステップＳ２１０において、測定された通信品質が閾値以上である場合（ステップＳ２１０：Ｙｅｓ）は、ハンドオーバ処理部１３４ｂが、第一基地局１１０から第二基地局１２０へのハンドオーバ処理を行う（ステップＳ２１１）。そして、第二通信部１３３ａが、第二基地局１２０との間で第二通信方式による通信を開始し（ステップＳ２１２）、一連のハンドオーバ動作を終了する。
【００３４】
図３は、図１に示した移動端末の動作の具体例を示すタイミングチャートである。図３において横軸は時間を示している。通信状態３１０は、移動端末１３０が第一基地局１１０との間で行う第一通信方式の通信の状態をタイミングチャートによって示している。通信状態３１０において、「自ＲＡＴ通信区間」は、移動端末１３０が第一基地局１１０との間で第一通信方式による通信を行う区間であり、「ＧＡＰ区間」は、移動端末１３０が第一基地局１１０との間で通信を行わないギャップ区間である。
【００３５】
同期用信号３２０は、第一基地局１１０が送信する第一通信方式の同期用信号である。フレーム３２１は同期用信号３２０の１フレームを示している。フレーム３２１にはスロット「０」〜「９」が含まれている。第一基地局１１０は、第一通信方式の同期用信号３２０としてフレーム３２１を繰り返し送信している。
【００３６】
移動端末１３０は、通信状態３１０のギャップ区間において同期用信号３２０を受信する。ここでは、移動端末１３０は、通信状態３１０のギャップ区間３１１において、符号３２２に示すスロット「７」を受信したとする。移動端末１３０は、受信したスロット「７」に基づいて、第一基地局１１０と移動端末１３０との間の通信品質を測定する。
【００３７】
同期用信号３３０は、第二基地局１２０が送信する第一通信方式の同期用信号である。無線フレーム３４０は、第二基地局１２０が送信する第二通信方式の無線フレームである。フレーム３４１は無線フレーム３４０の１フレームを示している。無線フレーム３４０は、無線フレーム３４０の所定位置に測定用シンボルを含んでいる（図の斜線部）。第二基地局１２０は、同期用信号３３０を、無線フレーム３４０と同期させて送信する。
【００３８】
具体的には、第二基地局１２０は、無線フレーム３４０のフレーム３４１に収まる数のスロットを１フレームとした各フレームを、無線フレーム３４０のフレーム３４１と同期させて同期用信号として送信する。ここでは、無線フレーム３４０のフレーム３４１にスロットが５つ収まるため、無線フレーム３４０のフレーム３４１に同期させてスロット「０」〜「４」を１フレームとした各フレームを同期用信号として送信する。
【００３９】
同期用信号３３０は第一通信方式であるため、移動端末１３０の第一受信部１３２ｂは、通信状態３１０におけるギャップ区間において同期用信号３３０を精度よく受信することができる。ここでは、移動端末１３０の第一受信部１３２ｂは、ギャップ区間３１２において、符号３３１に示す同期用信号３３０のスロット「３」を受信したとする。
【００４０】
そして、同期用信号３３０は第二通信方式の無線フレーム３４０と同期しているため、フレーム先頭検出部１３４ａは、符号３３１に示すスロット「３」に基づいて無線フレーム３４０の先頭位置を検出することができる。ここでは、フレーム先頭検出部１３４ａは、スロット「３」に基づいて同期用信号３３０の先頭位置３４２を検出したとする。
【００４１】
これにより、第二受信部１３３ｂは、無線フレーム３４０において先頭位置３４２から始まる無線フレームに含まれている測定用シンボル３４３を精度よく受信することができる。ただし、先頭位置３４２から測定用シンボル３４３までの区間は予め定められているものとする。これにより、移動端末１３０は、第一基地局１１０との間の通信を行っている間においても第二基地局１２０との間の通信品質を精度よく測定することができる。
【００４２】
したがって、アンテナ１３１を第一通信方式および第二通信方式によって共用する構成においても、第一通信方式による通信中に第二通信方式の通信品質を測定することができる。このため、アンテナ１３１を第一通信方式および第二通信方式によって共用して装置の小型化を図りつつ、第一通信方式の第一基地局１１０から第二通信方式の第二基地局１２０へのハンドオーバを精度よく行うことができる。
【００４３】
図４は、無線フレームの先頭位置の検出の具体例を示す図である。図４において、図３に示した部分と同様の部分については同一の符号を付して説明を省略する。図４は、図３に示した同期用信号３３０および無線フレーム３４０の一部を示している。区間「Ａ」は、同期用信号３３０の１スロット分の区間を示している。区間「Ｂ」は、無線フレーム３４０の１フレーム（図３のフレーム３４１に相当）分の区間を示している。
【００４４】
区間「Ａ」および区間「Ｂ」は、予め定められており、移動端末１３０のメモリに記憶されているとする。「ｎ」は、無線フレーム３４０のフレーム３４１に収まるスロットの数に１を加えた正の整数（Ｂ÷Ａの商）である。区間「Ｃ」は、区間「Ｂ」をｎ＋１個の区間「Ａ」で表した場合の端数の長さ（Ｂ÷Ａの余り）を示している。
【００４５】
第一受信部１３２ｂが同期用信号３３０のスロット「ｍ」（フレーム中のｍ＋１番目のスロット）を受信したとする。そして、第一受信部１３２ｂがスロット「ｍ」を受信してから、無線フレーム３４０の次の先頭位置までの区間をＸとすると、Ｘ＝（ｎ−ｍ）×Ａ＋Ｃとなる。これにより、フレーム先頭検出部１３４ａは、無線フレーム３４０の次の先頭位置を検出することができる。たとえば、図３に示した例においてはｎ＝４、ｍ＝３であるため、Ｘ＝（４−３）×Ａ＋Ｃ＝Ａ＋Ｃとなる。
【００４６】
フレーム先頭検出部１３４ａは、第一受信部１３２ｂによってスロット「ｍ」を受信したタイミングからＸ＋Ｂ×Ｎ（Ｎ＝０，１，２，…）の区間の経過後を無線フレーム３４０の先頭位置として検出する。図３に示した例では、フレーム先頭検出部１３４ａは、符号３３１に示すスロット「３」を受信したタイミングからＸ＋Ｂ×１の区間の経過後（１フレーム分待機する）を無線フレーム３４０の先頭位置３４２として検出している。
【００４７】
図５は、ギャップ区間の制御を示すタイミングチャートである。図５において、図３に示した部分と同様の部分については同一の符号を付して説明を省略する。無線フレーム３４０の各フレームにおける測定用シンボルの位置によっては、通信状態３１０に示すギャップ区間から測定用シンボルが外れる場合もある。
【００４８】
この場合は、移動端末１３０の第一通信部１３２ａは、無線フレーム３４０に含まれる測定用シンボルが、第一基地局１１０と移動端末１３０との間の通信におけるギャップ区間に入るようにギャップ区間を制御する。ギャップ区間の制御は、たとえば、第一通信部１３２ａが第一基地局１１０へ要求信号を送信することによって行う。
【００４９】
通信状態５１０は、第一通信部１３２ａによってギャップ区間を制御された後の移動端末１３０と第一基地局１１０との間で行う通信の状態を示している。通信状態５１０においては、符号５１１に示す「自ＲＡＴ通信区間」を延長することによって、直後のギャップ区間５１２に無線フレーム３４０の測定用シンボル５２１が収まるようにしている。
【００５０】
このように、移動端末１３０の第一通信部１３２ａは、フレーム先頭検出部１３４ａによって検出された無線フレーム３４０の先頭位置に基づいて、第一基地局１１０との間の通信のギャップ区間を制御する。具体的には、第一通信部１３２ａは、フレーム先頭検出部１３４ａによって検出された無線フレーム３４０の先頭位置から特定した測定用シンボルの区間がギャップ区間に収まるようにギャップ区間を制御する。
【００５１】
（通信システムの変形例）
図６は、図１に示した通信システムの変形例を示すブロック図である。図６において、図１に示した構成と同様の構成については同一の符号を付して説明を省略する。ここでは、移動端末１３０が第二基地局１２０との間で第二通信方式による通信を行っており、その後に移動端末１３０が第二基地局１２０から第一基地局１１０へのハンドオーバを行う場合について説明する。
【００５２】
第一基地局１１０は、通信部１１１と、送信部６１２と、を備えている。送信部６１２は、第二通信方式の同期用信号を移動端末１３０へ送信する。また、送信部６１２は、送信する第二通信方式の同期用信号を、通信部１１１が送信する無線フレームと同期させる。この構成においては、第二基地局１２０の送信部１２２（図１参照）を省いてもよい。
【００５３】
第一通信ＬＳＩ１３２の第一受信部１３２ｂは、第一基地局１１０から送信された無線フレームを受信する。また、第一通信部１３２ａは、制御ＬＳＩ１３４から通知された無線フレームの先頭位置に基づいて、無線フレームに含まれる測定用シンボルを受信する。第一受信部１３２ｂは、受信した測定用シンボルを制御ＬＳＩ１３４へ出力する。
【００５４】
フレーム先頭検出部１３４ａは、第一受信部１３２ｂから出力された第一基地局１１０からの第二通信方式の測定用シンボルに基づいて、第一基地局１１０からの第一通信方式の無線フレームの先頭位置を検出する。そして、フレーム先頭検出部１３４ａは、検出した先頭位置を第一通信ＬＳＩ１３２へ通知する。フレーム先頭検出部１３４ａによる先頭位置の検出については、図４，図５において説明した通りであるため説明を省略する。
【００５５】
ハンドオーバ処理部１３４ｂは、測定した各通信品質に基づいて、第二基地局１２０から第一基地局１１０へのハンドオーバ処理を行う。具体的には、ハンドオーバ処理部１３４ｂは、第二通信ＬＳＩ１３３による第二基地局１２０との間の通信を停止させるとともに、第一通信ＬＳＩ１３２による第一基地局１１０との間の通信を開始させる。
【００５６】
また、図１に示した通信システム１００の構成と、図６に示した通信システム１００の構成と、を組み合わせてもよい。これにより、移動端末１３０は、第一基地局１１０から第二基地局１２０へのハンドオーバと、第二基地局１２０から第一基地局１１０へのハンドオーバと、の両方を精度よく行うことができる。
【００５７】
以上説明したように、この移動端末、通信システムおよび通信方法は、第二通信方式の無線フレームと同期した第一通信方式の同期用信号を第二基地局から移動端末へ送信する。これにより、第二基地局からの第二通信方式の無線フレームの先頭を検出し、無線フレームに含まれている測定用シンボルを精度よく受信することができる。
【００５８】
したがって、移動端末のアンテナを第一通信方式および第二通信方式によって共用する構成においても、第一通信方式による通信中に第二通信方式の通信品質を測定することができる。このため、アンテナを第一通信方式および第二通信方式によって共用して装置の小型化を図りつつ、第一通信方式の第一基地局から第二通信方式の第二基地局へのハンドオーバを精度よく行うことができる。
【００５９】
また、第一通信方式の無線フレームの中にギャップ区間が十分に設けられていない場合でも、第二基地局からの第二通信方式の無線フレームの先頭を精度よく検出することができる。第一通信方式の通信を行う区間を十分に確保しつつ、第一通信方式の第一基地局から第二通信方式の第二基地局へのハンドオーバを精度よく行うことができる。
【００６０】
また、使用中の第一通信方式の同期用信号に基づいて第二基地局からの第二通信方式の無線フレームの先頭を検出するため、無線フレームの先頭を高速に検出することができる。このため、第一基地局から第二基地局へのハンドオーバを行うか否かの判断を高速に行うことができる。このため、たとえば移動局が第一基地局から第二基地局へ近づいた場合などに、第一基地局から第二基地局へのハンドオーバを迅速に行うことができる。
【００６１】
また、検出された先頭位置に基づいて第一基地局と移動端末との間の通信におけるギャップ区間を制御することで、第二基地局からの無線フレームの測定用シンボルをギャップ区間の範囲内に精度よく収めることが可能になる。これにより、たとえば、ギャップ区間の範囲内に第二基地局からの無線フレームの測定用シンボルが収まるまで待機する場合と比べて、測定用シンボルを高速に受信することができる。このため、第一基地局から第二基地局へのハンドオーバを迅速に行うことができる。
【符号の説明】
【００６２】
１００  通信システム
１３１  アンテナ
３１０，５１０  通信状態
３２０，３３０  同期用信号
３２１，３４１  フレーム
３４０  無線フレーム
３４２  先頭位置
３４３，５２１  測定用シンボル
【図１】
2010288081.tif 000003
【図２】
2010288081.tif 000004
【図３】
2010288081.tif 000005
【図４】
2010288081.tif 000006
【図５】
2010288081.tif 000007
【図６】
2010288081.tif 000008